(57)【要約】【課題】本体からプレフィルタを取外すことなく容易に掃除を行うことができる空気清浄機を提供する。【解決手段】空気の吸入口４と吐出口２３を備えた空気清浄機本体２と、この空気清浄機本体２に備えられ吸入口４と吐出口２３の間に配置されたフィルタとしての主フィルタ２１と、前記空気清浄機本体２に備えられ前記吸入口４から吐出口２３へと空気を送る送風機２２とを備えた空気清浄機１であって、前記吸入口４にプレフィルタ装置５を備え、このプレフィルタ装置５におけるプレフィルタ本体８の上流側面に塵埃除去手段１３を備えたことにより、前記空気清浄機本体２からプレフィルタ１１を取外すことなく容易に掃除を行うことが可能となる。【選択図】図１
2008073648.tif 000002
【特許請求の範囲】
【請求項１】
空気の吸入口と吐出口を備えた本体と、この本体に設けられ前記吸入口と前記吐出口の間に配置されたフィルタと、前記本体に設けられ前記吸入口から吐出口へと空気を送る送風機とを備えた空気清浄機であって、
前記吸入口にプレフィルタ装置を備え、このプレフィルタ装置におけるプレフィルタ本体の上流側面に塵埃除去手段を備えたことを特徴とする空気清浄機。
【請求項２】
前記塵埃除去手段が、前記プレフィルタ本体の上流側面に摺動回転自在な回転部材を備え、
この回転部材が、前記吸入口の軸線を回転中心とした回転ブレードを有して構成されることを特徴とする請求項１記載の空気清浄機。
【請求項３】
前記回転ブレードが、その中心側から外側に向かって、回転方向に対して後退角を有するように構成されていることを特徴とする請求項２記載の空気清浄機。
【請求項４】
前記回転ブレードの周面側に、該周面を囲む囲い壁をプレフィルタ装置に設けたことを特徴とする請求項２又は３に記載の空気清浄機。
【請求項５】
前記囲い壁の外側に塵埃収集部を備え、この塵埃収集部の内部と前記囲い壁の内周面とを連通したことを特徴とする請求項４記載の空気清浄機。
【請求項６】
前記塵埃収集部を前記囲い壁に対し着脱自在に設けたことを特徴とする請求項５記載の空気清浄機。
【請求項７】
前記回転部材の回転軸に手動ハンドルを備えたことを特徴とする請求項２〜６のいずれか１項に記載の空気清浄機。
【発明の詳細な説明】
【技術分野】
【０００１】
本発明は、室内空気を浄化する空気清浄機に関するものである。
【背景技術】
【０００２】
従来、室内空気を浄化する空気清浄機として、本体に吸入口と吐出口を備え、吸入口から吐出口にかけて通風路が形成され、その通風路の上流側からプレフィルタ、メインフィルタを順次配置したものがある（特許文献１）。
【０００３】
上記の構成において、吸入口により汚染空気を吸引し、プレフィルタにより粗い塵埃を捕集した後、メインフィルタにより細かな塵埃を捕集し、吐出口から清浄空気が吐出される。
【特許文献１】特開２００３−３８９２０号公報
【発明の開示】
【発明が解決しようとする課題】
【０００４】
このような従来の空気清浄機では、長時間使用すると、綿埃等の粗い塵埃が前記プレフィルタに付着して目詰まりを起こしてしまうので、定期的に前記プレフィルタを掃除する必要がある。
【０００５】
しかし、このような従来の空気清浄機では、前記本体から吸気パネルを取り外した後で前記プレフィルタを取り外さなければ、このプレフィルタを掃除することができないという欠点を有していた。
【０００６】
本発明が解決しようとする問題点は、上記の問題点を克服し、本体からプレフィルタを取り外すことなく容易に掃除を行うことができる空気清浄機を提供する点である。
【課題を解決するための手段】
【０００７】
請求項１の発明は、空気の吸入口と吐出口を備えた本体と、この本体に設けられ前記吸入口と前記吐出口の間に配置されたフィルタと、前記本体に設けられ前記吸入口から吐出口へと空気を送る送風機とを備えた空気清浄機であって、前記吸入口にプレフィルタ装置を備え、このプレフィルタ装置におけるプレフィルタ本体の上流側面に塵埃除去手段を備えたことである。
【０００８】
請求項２の発明は、前記塵埃除去手段が、前記プレフィルタ本体の上流側面に摺動回転自在な回転部材を備え、この回転部材が、前記吸入口の軸線を回転中心とした回転ブレードを有して構成されることである。
【０００９】
請求項３の発明は、前記回転ブレードが、その中心側から外側に向かって、回転方向に対して後退角を有するように構成されていることである。
【００１０】
請求項４の発明は、前記回転ブレードの周面側に、該周面を囲む囲い壁をプレフィルタ装置に設けたことである。
【００１１】
請求項５の発明は、前記囲い壁の外側に塵埃収集部を備え、この塵埃収集部の内部と前記囲い壁の内周面とを連通したことである。
【００１２】
請求項６の発明は、前記塵埃収集部を前記囲い壁に対し着脱自在に設けたことである。
【００１３】
請求項７の発明は、前記回転部材の回転軸に手動ハンドルを備えたことである。
【発明の効果】
【００１４】
請求項１の発明によれば、前記本体に前記プレフィルタを取り付けたままの状態で、前記塵埃除去手段を操作することで、前記本体から前記プレフィルタを取外すことなく容易に前記プレフィルタの掃除を行うことが可能となる。
【００１５】
請求項２の発明によれば、前記塵埃除去手段を回転させることで、前記プレフィルタに付着した粗い塵埃をプレフィルタから効果的に除去することが可能となる。
【００１６】
請求項３の発明によれば、前記プレフィルタから除去された粗い塵埃が、前記回転ブレードの回転に伴って遠心方向に移動するので、前記回転部材の回転によって塵埃を効果的に掻き出すことができる。
【００１７】
請求項４の発明によれば、前記回転部材の回転によって前記プレフィルタから除去された粗い塵埃が、前記囲い壁の内周面近傍に集められるので、塵埃を効率的に収集することが可能となる。
【００１８】
請求項５の発明によれば、回転部材の回転によって前記プレフィルタから除去され、前記囲い壁の内周面近傍に集められた塵埃を前記塵埃収集部に送り込むので、塵埃を効率的に収集することが可能となる。
【００１９】
請求項６の発明によれば、前記塵埃収集部に収集された塵埃を簡単かつ確実に廃棄することが可能となる。
【００２０】
請求項７の発明によれば、前記回転部材の回転を容易に行うことが可能となる。
【発明を実施するための最良の形態】
【００２１】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２２】
以下、本発明の実施形態について添付図面を参照して説明する。図１乃至図４は、本発明の第１実施例を示し、空気清浄機１は、薄型の箱体に形成された空気清浄機本体２と、この空気清浄機本体２の一側面３（この場合は正面）に形成された空気の吸入口４に着脱自在に設けられたプレフィルタ装置５からなる。
【００２３】
このプレフィルタ装置５は、前記吸入口４に連通するよう円形に開口して形成されたプレフィルタ側吸入口６を備えると共に前記空気清浄機本体２の一側面３に対し着脱自在に形成されたプレフィルタカバー７と、網又は不織布からなるプレフィルタ本体８とこのプレフィルタ本体８の裏面（下流側面）９側に一体に取付けられた格子状の支持部材１０とからなり前記プレフィルタ側吸入口６を閉塞するように装着されたプレフィルタ１１と、前記プレフィルタ本体８の表面（上流側面）１２側の中心部分に回転自在に設けられた塵埃除去手段１３と、前記プレフィルタ側吸入口６の周縁より外方に向け立設されて前記プレフィルタ１１の外周側の一部を外部から覆う囲い壁１４とを備えている。
【００２４】
そして、前記塵埃除去手段１３は、前記プレフィルタ本体８の表面（上流側面）１２の中央部分において、前記吸入口６の軸線Ｘを回転中心として回転自在に接続された軸部分１５と、この軸部分１５に一体的に設けられるハンドル１６と、前記軸部分１５の外周面１５Ａに一体に設けられると共に前記プレフィルタ本体８の表面（上流側面）１２に対し摺動可能な回転部材たる回転ブレード１７とを有して構成されている。この回転ブレード１７は、その中心側から外側に向かって、回転方向に対して後退角を有するように、前記軸部分１５と一体に設けられると共に、前記回転ブレード１７の回転ブレード１７の周面Ｙ側は、前記囲い壁１４の内周面１８により囲まれている。なお、前記回転ブレード１７は、図４に示すように、前記軸部分１５の外周面１５Ａに対する接線角として基部角α（２３°≦α≦４３°、好ましくはα＝３３°）で、且つ前記周面Ｙに対する接線角として端部角β（２０°≦β≦４０°、好ましくはβ＝３０°）となるように、前記軸部分１５に一体に形成されている。なお、後退角とは、放射方向に対する角度であるので、前記回転ブレード１７の軸部分１５側の基部における後退角は６７°〜４７°であり、周面Ｙ側の端部における後退角は７０°〜５０°ということになる。
【００２５】
また、前記囲い壁１４の下方には、塵埃収集部１９が着脱自在に装着されると共に、前記囲い壁１４の下側には、装着された前記塵埃収集部１９の内部に連通する塵埃放出用貫通部２０が形成される。
【００２６】
そして、図３に示すように、本発明の前記空気清浄機１の概要は、図中の左側を前側とし、前記空気清浄機１の空気清浄機本体２の一側面たる前面３に形成された前記吸入口４に前記プレフィルタ装置５が着脱自在に装着され、このプレフィルタ装置５の下流側に前記空気清浄機本体２に内蔵された集塵フィルタや脱臭フィルタ等によって構成される主フィルタ２１が配置され、さらにその後方に、送風機たる遠心ファン２２が配置される。そして、この遠心ファン２２の上方に対応した前記空気清浄機本体２の上部には、吐出口２３が形成される。また、図１及び図２に示すように、前記空気清浄機本体２の上部には、前記送風機２２のオン／オフ操作を行うための電源スイッチ操作部２４が設けられる。
【００２７】
次に、以上の構成についてその作用を説明する。前記空気清浄機１を作動させる場合、オフ状態の前記空気清浄機１の電源スイッチ操作部２４をオンに切換え、前記遠心ファン２２を作動させる。この空気清浄機１における空気の流れを図３を参照して模型的に説明すると、作動した前記遠心ファン２２によって、空気が前記空気清浄機本体２へ吸込まれる。この吸い込まれた空気は、前記吸入口４に装着されたプレフィルタ装置５を通過して前記空気清浄機本体２の内部へと送られ、前記主フィルタ２１を通過した後、前記遠心ファン２２により、前記空気清浄機本体２の上部に設けられた前記吐出口２３から吐出される。そして、前記空気清浄機１に吸入された塵埃を含む空気は、前記プレフィルタ装置５により、先ずは綿埃等の粗い塵埃Ｄ１が捕集され、続いて、前記主フィルタ２１により、前記プレフィルタ装置５を通過した微細な塵埃Ｄ２が捕集されると共に、空気中の臭気も除去された上で前記吐出口２３から吐出され、清浄な空気として外気へ戻される。
【００２８】
前記プレフィルタ装置５における塵埃除去に係る操作を説明する。前記プレフィルタ装置５が捕集した粗い塵埃Ｄ１が一定量となったところで、前記空気清浄機１の電源スイッチ操作部２４をオフにする。そして、図４に示すように、前記ハンドル１６を時計周りに回すと、前記プレフィルタ本体８の表面１２に捕集された粗い塵埃Ｄ１は、前記回転ブレード１７によって掻き取られ、前記ハンドル１６と同調して、前記プレフィルタ本体８の表面１２を摺動しながら小さな塊となり、時計回りに回転する前記回転ブレード１７の回転方向前面２５によって、前記軸部分１５側から前記前面２５に沿って遠心方向、即ち周面Ｙ側へと送られ、最終的には前記囲い壁１４の内周面１８付近に掻き集められ、前記塵埃放出用貫通部２０を通して、前記塵埃収集部１９へと送られる。なお、前記プレフィルタ本体８によって捕集される粗い塵埃Ｄ１は、綿埃等の繊維屑である場合が多く、従って、前記回転ブレード１７によって掻き取られた塵埃Ｄ１は、前述したように、繊維同士が絡み合い、毛玉状の小さな塊となる。そして、前記囲い壁１４から前記塵埃収集部１９を外し、内部に溜まった塵埃Ｄ１を廃棄する。
【００２９】
ここで、前記回転ブレード１７における基部角α及び端部角βと、前記プレフィルタ１１によって捕集される粗い塵埃Ｄ１との関係について述べると、基部角α及び端部角βがそれぞれ、α＜２３°及びβ＜２０°の場合には、前記プレフィルタ１１により捕集される塵埃Ｄ１の細かさに比べ、前記回転ブレード１７の傾斜が大き過ぎ、塵埃Ｄ１を十分に掻き集められない虞が生じ、反対に、基部角α及び端部角βがそれぞれ、４３°＜α及び４０°＜βの場合には、前記回転ブレード１７の傾斜が小さ過ぎ、塵埃Ｄ１が前記回転ブレード１７と共に回転し続けてしまい、塵埃Ｄ１を前記回転ブレード１７の前面２５に沿って前記囲い壁１４の内周面１８側へと効率よく送れない虞が生じる。
【００３０】
これに対し、本実施例では、前記回転ブレード１７の基部角α及び端部角βを、前述したように、基部角α（２３°≦α≦４３°、好ましくはα＝３３°）、端部角β（２０°≦β≦４０°、好ましくはβ＝３０°）としたことで、前記プレフィルタ１１に捕集された塵埃Ｄ１を効率よく掻き集め、前記回転ブレード１７の前面２５に沿って速やかに前記囲い壁１４の内周面１８側へと送れるようにし、前記プレフィルタ１１の塵埃除去の作業を効率よく行うことを可能とした。
【００３１】
また、前記プレフィルタ装置５が前記空気清浄機本体２の吸入口４に対し着脱自在に設けられたことにより、前記空気清浄機本体２に内蔵された前記主フィルタ２１の交換又は掃除の際には、間口の広い前記吸入口４から行うことが可能となり、作業の効率化を図ることができる。
【００３２】
以上のように、上記実施例では、請求項１に対応して、空気の吸入口４と吐出口２３を備えた空気清浄機本体２と、この空気清浄機本体２に内蔵され前記吸入口４と吐出口２３の間に配置された主フィルタ２１と、前記空気清浄機本体２に内蔵され前記吸入口４から吐出口２３へと空気を送る送風機２２とを備えた空気清浄機１であって、前記吸入口４にプレフィルタ装置５を備え、このプレフィルタ装置５におけるプレフィルタ本体８の上流側面に塵埃除去手段１３を備えたことにより、前記空気清浄機本体２から前記プレフィルタ１１を取外すことなく、このプレフィルタ１１を容易に掃除することが可能となる。
【００３３】
また、上記実施例では、請求項２に対応して、前記塵埃除去手段１３が、前記プレフィルタ本体８の上流側面に摺動回転自在な回転部材を備え、この回転部材が、前記プレフィルタ側吸入口６の軸線Ｘを回転中心とした回転ブレード１７を有して形成されたことにより、前記プレフィルタ本体８に捕集された粗い塵埃Ｄ１を前記プレフィルタ本体８から効果的に除去することが可能となる。
【００３４】
また、上記実施例では、請求項３に対応して、前記回転ブレード１７が、その中心側から外側に向かって、基部において６７°〜４７°、端部において７０°〜５０°という回転方向に対する後退角を有することにより、除去された塵埃Ｄ１を前記回転部材１３の回転ブレード１７の回転に合わせて効果的に掻き出すことができる。
【００３５】
また、上記実施例では、請求項４に対応して、前記回転ブレード１７の周面Ｙ側に、この周面Ｙを囲む囲い壁１４を前記プレフィルタ装置５に設けたことにより、前記回転ブレード１７の回転によって前記プレフィルタ１１から除去された塵埃Ｄ１が前記囲い壁１４の内周面１８近傍に集められるので、塵埃Ｄ１を効率的に収集することが可能となる。
【００３６】
また、上記実施例では、請求項５に対応して、前記囲い壁１４の外側に塵埃収集部１９を備え、この塵埃収集部１９の内部と前記囲い壁１４の内周面１８とを塵埃放出用貫通部２０によって連通したことにより、前記回転ブレード１７の回転により前記プレフィルタ１１から除去され、前記囲い壁１４の内周面１８近傍に集められた塵埃Ｄ１を効率的に収集することが可能となる。
【００３７】
また、上記実施例では、請求項６に対応して、前記塵埃収集部１９を前記囲い壁１４に対し着脱自在に設けたことにより、塵埃収集部１９に収集された塵埃Ｄ１を簡単かつ確実に廃棄することが可能となる。
【００３８】
更に、上記実施例では、請求項７に対応して、前記回転ブレード１７の回転軸１５に手動ハンドル１６を備えたことにより、前記回転ブレード１７の回転を容易に行うことが可能となる。
【００３９】
なお、本実施例上の効果として、前記プレフィルタ装置５が前記空気清浄機本体２に対し着脱自在に設けられたことにより、この空気清浄機本体２内部の主フィルタ２１のメンテナンスが容易になると共に、前記空気清浄機１から前記プレフィルタ装置５を取り外すことで、このプレフィルタ装置５の塵埃除去作業も効率良く行うことが可能となる。
【００４０】
なお、本発明は以上の実施例に限定されるものではなく、発明の要旨の範囲内で種々の変形実施が可能である。例えば、上記実施例では、前記回転部材の軸部分にハンドルを設けたが、これ以外の部分、例えば空気清浄機本体にハンドルを設け、歯車等を介して前記回転ブレードを回転させるようにしてもよい。
【図面の簡単な説明】
【００４１】
【図１】本発明の一実施例における空気清浄機を示す斜視図である。
【図２】同上、空気清浄機を示す正面図である。
【図３】同上、空気清浄機を示す断面図である。
【図４】本発明の塵埃除去手段における回転ブレードと除去される塵埃の動きを示す概略図である。
【符号の説明】
【００４２】
１  空気清浄機
２  空気清浄機本体
４  吸入口
５  プレフィルタ装置
６  プレフィルタ側吸入口
８  プレフィルタ本体
１３  塵埃除去手段
１４  囲い壁
１６  ハンドル
１７  回転ブレード（回転部材）
１８  内周面
２１  主フィルタ（フィルタ）
２２  送風機
２３  吐出口
【図１】
2008073648.tif 000003
【図２】
2008073648.tif 000004
【図３】
2008073648.tif 000005
【図４】
2008073648.tif 000006